(57)【特許請求の範囲】
【請求項１】
出入り口を開閉するかごドアパネルおよび乗場ドアパネルで構成されるドアパネルと、
前記ドアパネルを開閉駆動するための駆動力を出力するモータと、
前記モータの駆動力を伝達するベルトと、
前記かごドアパネルと前記乗場ドアパネルを連結するために、前記かごドアパネル側に設けられたかごドア係合ベーン、および前記乗場ドアパネル側に設けられた乗場ローラと
を備えるエレベータのドア装置であって、
前記かごドア係合ベーンは、ベルト掴み部を介して前記ベルトに固定されており、
前記ドアパネルの開動作中に、前記かごドア係合ベーンと前記乗場ローラとが接触したことを検出するかごドア側の接触検出部と、
前記かごドア係合ベーンと前記かごドアパネルとを連結させるドア連結機構部と
をさらに備え、
前記ドア連結機構部は、
前記かごドアパネルに固定されたロック部と、
前記かごドア係合ベーンと接合し前記ロック部と機械的に噛合うラッチ部と
を含んで構成され、
前記ドア連結機構部は、前記接触検出部において前記かごドア係合ベーンと前記乗場ローラとが接触したことが検出されたことに同期して、前記ロック部と前記ラッチ部とが機械的に噛合うことで前記かごドア係合ベーンと前記かごドアパネルとを連結する
エレベータのドア装置。
【請求項２】
前記ラッチ部は、前記かごドア係合ベーンと前記乗場ローラとが接触したことにより、前記かごドア係合ベーンとの接合部を中心軸として回動し、
前記接触検出部は、前記ラッチ部による機械的スイッチで構成され、
前記ラッチ部の移動量に応じて前記ラッチ部が前記ロック部と機械的に噛み合うことで、前記かごドア係合ベーンと前記かごドアパネルとが連結される
請求項１に記載のエレベータのドア装置。
【請求項３】
前記ラッチ部は、前記かごドア係合ベーンと前記乗場ローラとが接触したことにより、前記かごドア係合ベーンとの接合部に沿って移動し、
前記接触検出部は、前記ラッチ部による機械的スイッチで構成され、
前記ラッチ部の移動量に応じて前記ラッチ部が前記ロック部と機械的に噛み合うことで、前記かごドア係合ベーンと前記かごドアパネルとが連結される
請求項１に記載のエレベータのドア装置。
【請求項４】
前記接触検出部は、電気的スイッチまたはセンサで構成され、検出情報を外部に出力する機能を有する
請求項１に記載のエレベータのドア装置。
【発明の詳細な説明】
【技術分野】
【０００１】
本発明は、エレベータのドアパネルを開閉するドア装置に関し、特に、戸開時間の短縮を図る構成を備えたエレベータのドア装置に関するものである。
【背景技術】
【０００２】
モータの駆動力を伝達するベルトをかごドアが掴み、かごドア駆動時にかご係合ベーンがかごドアパネルよりも早く動くことで、戸開開始から係合までの時間を短縮する従来技術がある（例えば、特許文献１参照）。
【先行技術文献】
【特許文献】
【０００３】
【特許文献１】特開２００６−１０３８８２号公報
【発明の概要】
【発明が解決しようとする課題】
【０００４】
しかしながら、従来技術には、以下のような課題がある。
エレベータのドアでは、コストの観点から、駆動源となるモータは、かごドア側のみに取り付けられ、乗場ドアは、係合装置によってかごドアと連結されることで、かごドアおよび乗場ドアを駆動し、ドアを開閉する。
【０００５】
係合装置は、かご側のかご係合ベーンと、乗場側の乗場ローラとで構成され、エレベータかご昇降時に両者が接触して機器が損傷することがないように、係合ギャップと呼称される隙間が設けられる。この係合ギャップは、適正な仕様内で維持されるよう、据付時・保守時に定期的にチェックされる。
【０００６】
そして、かご着床後の戸開時において、モータが駆動力を発生し、かごドアを駆動した後に、かごドアと乗場ドアが係合装置を介して連結される。このとき、かごドア質量と乗場ドア質量とが係合装置において衝突することに起因して、ドアパネルに振動が生じる。このような振動を低減するために、上述した係合ギャップの区間においては、かごドアと乗場ドアを低速で動作させる必要がある。この結果、ドアの戸開時間が長くなるという問題がある。
【０００７】
特許文献１では、かごドア戸開時に、ドアパネルの開く速度よりも早くかご係合ベーンを動作させる構造を有している。このような構造を有することで、係合ギャップの区間における低速動作時間を短縮し、戸開に要する時間を短縮することができる。
【０００８】
しかしながら、特許文献１のこのような構造は、かごドアの動作に連動したものであるため、かごドア低速動作時間を無くすことはできない。その上、特許文献１は、時間短縮の効果を上げるためにかご係合ベーンの速度を上げると、かご係合ベーンと乗場ローラの衝突音が発生することとなる。このため、戸開時間短縮の効果が限られるという問題もある。
【０００９】
本発明は、前記のような課題を解決するためになされたものであり、かご着床後の戸開動作において、かごドア低速動作時間をなくし、戸開時間の短縮化を図ることができるエレベータのドア装置を得ることを目的とする。
【課題を解決するための手段】
【００１０】
本発明に係るエレベータのドア装置は、出入り口を開閉するかごドアパネルおよび乗場ドアパネルで構成されるドアパネルと、ドアパネルを開閉駆動するための駆動力を出力するモータと、モータの駆動力を伝達するベルトと、かごドアパネルと乗場ドアパネルを連結するために、かごドアパネル側に設けられたかごドア係合ベーン、および乗場ドアパネル側に設けられた乗場ローラとを備えるエレベータのドア装置であって、かごドア係合ベーンは、ベルト掴み部を介してベルトに固定されており、ドアパネルの開動作中に、かごドア係合ベーンと乗場ローラとが接触したことを検出するかごドア側の接触検出部と、かごドア係合ベーンとかごドアパネルとを連結させるドア連結機構部とをさらに備え、ドア連結機構部は、かごドアパネルに固定されたロック部と、ドア係合ベーンと接合しロック部と機械的に噛合うラッチ部とを含んで構成され、ドア連結機構部は、接触検出部においてかごドア係合ベーンと乗場ローラとが接触したことが検出されたことに同期して、ロック部とラッチ部とが機械的に噛合うことでかごドア係合ベーンとかごドアパネルとを連結するものである。
【発明の効果】
【００１１】
本発明によれば、乗場ドアにローラが備えられるドア装置において、かご着床後の戸開直後に、モータの駆動力により、かご係合ベーンのみを駆動し、かご係合ベーンが乗場ドア側のローラと接触した後に、かご係合ベーンとかごドアパネルと乗場ドアパネルを同時に連結することで、かごドアと乗場ドアを一体化する構成を備えている。この結果、かご着床後の戸開動作において、かごドア低速動作時間をなくし、戸開時間の短縮化を図ることができるエレベータのドア装置を得ることができる。
【図面の簡単な説明】
【００１２】
【図１】本発明の実施の形態１によるエレベータのかごドア駆動装置を示す全体概要図である。
【図２】本発明の実施の形態１によるエレベータの乗場ドア駆動装置を示す全体概要図である。
【図３】本発明の実施の形態１による係合ギャップの概要図である。
【図４】本発明の実施の形態１による戸開開始前のドア係合装置の構成図である。
【図５】本発明の実施の形態１による戸開係合時のドア係合装置の構成図である。
【図６】本発明の実施の形態１によるドア振動の低減効果を説明するための図である。
【図７】本発明の実施の形態２による戸開開始前のドア係合装置の構成図である。
【図８】本発明の実施の形態２による戸開係合時のドア係合装置の構成図である。
【図９】本発明の実施の形態３による戸開開始前のドア係合装置の構成図である。
【図１０】本発明の実施の形態３による戸開係合時のドア係合装置の構成図である。
【発明を実施するための形態】
【００１３】
以下、本発明のエレベータのドア装置の好適な実施の形態につき、図面を用いて説明する。
【００１４】
実施の形態１．
図１は、本発明の実施の形態１によるエレベータのかごドア駆動装置を示す全体概要図である。出入口を開閉するかご側のドアパネル１の上端には、吊り手２が設けられている。出入口の上縁部には、長手が水平方向に配置された桁３が設けられている。なお、図１においては、ドアパネル１が、２枚のドアパネル１Ａ、１Ｂで構成されている場合を例示している。
【００１５】
桁３には、かごドア案内レール４が長手の水平方向に配置されるように設けられている。そして、吊り手２に設けられたハンガーローラ５が、レール４に沿って移動することで、吊り手２の水平移動、すなわち、ドアパネル１の開閉移動、を案内する。
【００１６】
また、吊り手２に設けられたアップスラストローラ１１が、レール４の下方に取り付けられ、ハンガーローラ５がレール４から脱落することを防止している。桁３には、プーリ６Ａ、６Ｂが互いに離れて設けられており、無端状をなすベルト７が、プーリ６Ａ、６Ｂの双方に巻き掛けられることで、所望のテンションで張られた状態となっている。
【００１７】
ベルト掴み８は、一端がベルト７に連結され、他端がかご係合ベーン１２に連結されておいる。また、モータ９は、プーリ６Ａを駆動する。ベルト７は、伝導ベルトであり、一般的には、歯付ベルトもしくはＶベルトが用いられる。ベルト形状に応じた溝が加工されているプーリ６Ａ、６Ｂのプーリ間距離を変更することで、無端状のベルト７の取付張力を所望の値に調整することができる。
【００１８】
モータ９を駆動させることで、対応したプーリ６Ａが回転し、ベルト７が駆動され、ベルト掴み８を介して連結されたかご係合ベーン１２も駆動する。そして、後述する機構により、かご係合ベーン１２がドアパネル１Ａと連結され、もう一方のドアパネル１Ｂには、連動ロープもしくはベルトを介して駆動力が伝達される。この結果、ドアパネル１Ａ、１Ｂを同一方向に動作させることで、モータ９の駆動により、ドアが開閉する。
【００１９】
図１に示した構成は、片開きのドア機構であるが、両開きドアでは、かご係合ベーン１２からの駆動力が伝達されるドアパネル１Ａと、もう一方のドアパネル１Ｂを、連動ロープもしくはベルトを介して互いに反対方向に動作させることで、出入口を開閉すればよい。
【００２０】
一般的には、片開きドアにおいては、ドアパネル１Ｂの速度の大きさは、ドアパネル１Ａの半分であり、両開きドアにおいては、方向は異なるものの、速度の大きさは、ドアパネル１Ａと１Ｂで等しいものとなる。
【００２１】
また、エレベータかごが着床し、かごドアと乗場ドアの床高さがおおよそ一致しているとき、モータ９を駆動すれば、かご係合ベーン１２と乗場ローラ１３が接触し係合することで、かごドアの駆動力を乗場ドアに伝達することができる。なお、乗場ローラ１３については、後述する図２に図示している。
【００２２】
次に、図２は、本発明の実施の形態１によるエレベータの乗場ドア駆動装置を示す全体概要図である。図２に示される出入口を開閉する乗場側のドアパネル１４の上端には、吊り手１５が設けられている。出入口の上縁部には、長手が水平方向に配置された桁１６が設けられている。
【００２３】
桁１６には、乗場ドア案内レール１７が、長手の水平方向に配置されるように設けられている。また、吊り手１５に設けられたハンガーローラ１８が、レール１７に沿って移動することで、吊り手１５の水平移動、すなわち、ドアパネル１４の開閉移動、を案内する。
【００２４】
また、吊り手１５に設けられたアップスラストローラ１９が、レール１７の下方に取り付けられ、ハンガーローラ１８がレール１７から脱落することを防止している。桁１６には、プーリ２０Ａ、２０Ｂが互いに離れて設けられており、連動ロープ２１が、プーリ２０Ａ、２０Ｂの双方に巻き掛けられることで、所望のテンションで張られた状態となっている。
【００２５】
ドアパネル１４Ａの吊り手は、連動ロープ２１と連結されている。なお、連動ロープ２１は、ベルトであってもよい。もう一方のドアパネル１４Ｂと、ドアパネル１４Ａは、連動ロープ２１とは異なる別の連動ロープ、もしくはベルトを介して、駆動力が伝達され、この結果、ドアパネル１４Ａと１４Ｂは、同一方向に動作することとなる。
【００２６】
図２に示した構成は、片開きのドア機構であるが、両開きドアでは、ドアパネル１４Ａと、もう一方のドアパネル１４Ｂを、連動ロープ２１を介して互いに反対方向に動作させることで、出入口を開閉すればよい。
【００２７】
このように、乗場ローラ１３に作用したモータ９の駆動力が、ドアパネル１４Ａと１４Ｂに伝達されることで、モータ９の駆動により、乗場ドアを開閉させることができる。
【００２８】
なお、乗場ドアには、図示しない錘やバネによる戸閉力発生機構が取り付けられており、かごが着床していない状態では、乗場ドアが開かれた場合でも自動で全閉するように、機械的外力が作用するように構成されている。
【００２９】
同様に、かご内で閉じ込めが生じモータの電気的駆動力が失われた場合でも、幼児がかごドアをこじ開けて昇降路に落下しないように、かごドアにも、機械的な戸閉力発生機構が備え付けられる。そして、全開時にモータの駆動力がない場合、もしくは、小さな駆動力のみでも全開を保持できるように、かごドアには、機械的な戸開力発生機構が取り付けられる。
【００３０】
図３は、本発明の実施の形態１による係合ギャップの概要図である。エレベータのかごは、図示しない昇降路内を昇降することから、図３に示された、かごドアパネル１に取り付けられたかご係合ベーン１２は、昇降路内を移動する。一方、乗場ローラ１３は、昇降路に突き出ている。従って、エレベータのかごが昇降する際に、かご側の機器、特にかご係合ベーン１２に接触すると、両者が損傷することとなる。
【００３１】
そのため、昇降時のドア全閉状態においては、図３（ａ）に示されるように、かご係合ベーン１２と乗場ローラ１３との間の距離である係合ギャップ２２を、一定に保つように、機械系の調整を行う必要がある。係合ギャップ２２が短ければ、据付時の設定ミスや、経年変化による形状変化、かごドア・乗場ドアの変形などが生じた際に、機器が損傷する可能性が高くなるデメリットがある。
【００３２】
一方、戸開時においては、かごドアと乗場ドアが係合する際に、かごドアの質量が乗場ドアの質量に衝突することになる。このため、係合時の戸開速度は、低速とする必要がある。
【００３３】
係合ギャップが短ければ、低速で駆動する区間を短く設定することができ、ドア開閉の観点からは、戸開時間短縮のメリットがある。逆に、係合ギャップ２２が長ければ、据付時の設定ミスや、経年変化による形状変化、かごドア・乗場ドアの変形などが生じた際に、機器が損傷する可能性が低くなるメリットがある。
【００３４】
一般的に、係合ギャップ２２の仕様は、その距離の大きさと、各階床でのバラツキを考慮した許容精度幅で決められる。ただし、許容精度が小さければ小さいほど、かごドアと乗場全階床の係合ギャップ２２を調整する据付作業の難易度が高くなる。
【００３５】
全閉時には、かご係合ベーン１２は、乗場ローラ１３と係合ギャップ２２の距離分離れている。そして、戸開指令によりモータが戸開を開始すると、かご係合ベーン１２が戸開方向に移動し、かご係合ベーン１２が係合ギャップ分の距離を戸開方向に移動した時点で、乗場ドアの乗場ローラ１３に接触する。接触を検出した時点で、かご係合ベーン１２がかごドアを把持することで、かごドアと乗場ドアは、連結され、一体化した状態で駆動することとなる。
【００３６】
なお、かご係合ベーン１２は、乗場ドアの乗場ローラ１３を複数のベーンで挟み込む方式や、複数のローラがかご係合ベーン１２を挟み込むことで、駆動力を伝達する方式でもよい。
【００３７】
また、かご係合ベーン間の距離は、全閉時には固定されるが、開閉動作とともに距離が変動してもよい。図３の係合ギャップ２２は、全閉側のかご係合ベーン１２と乗場ローラ１３との距離を示しているが、全開側のかご係合ベーン１２と乗場ローラ１３との距離でもよい。以降においては、全閉側のかご係合ベーン１２と乗場ローラ１３との距離を、係合ギャップ２２として説明する。
【００３８】
図４は、本発明の実施の形態１による戸開開始前のドア係合装置の構成図である。図４においては、全閉側のかご係合ベーンを、符号１２Ａで表し、全開側のかご係合ベーンを、符号１２Ｂで表している。
【００３９】
ここで、全開側のかご係合ベーン１２Ｂは、かごドアパネルに固定され、移動しない方式と、かご係合ベーン１２Ａの動作に応じて乗場ローラ１３を完全に挟み込む方式とがある。前者の移動しない方式では、乗場ドアには錘が取り付けられ、機械的な戸閉力が常に作用することを用いて、開閉時において、常に乗場ドアの乗場ローラ１３とかご係合ベーン１２Ａが接触するようにドア開閉速度を変化させればよい。一方、後者の完全に挟み込む方式では、ドア開閉速度によらず、挟み込みが完了した以降において、かごドアと乗場ドアの連結がとけることはない。
【００４０】
図４に示したように、かご着床後のドア戸開開始前の全閉状態において、ドアモータ９は、かご内乗客のこじ開けや昇降時のかご振動による戸開力に対抗するために、戸閉力方向に駆動力を発生させる。駆動力は、ベルト掴み８を介してかご係合ベーン１２Ａに伝達される。
【００４１】
かご係合ベーン１２Ａは、かごドアパネル１Ａに設置されたかご係合ベーンストッパー２３Ａに接触することで、かごドアパネル１に戸閉方向の駆動力を発生させる。かご係合ベーンストッパー２３Ａは、ゴムのような弾性体でもよいし、ボルト等の剛体でもよい。
【００４２】
一般的に、モータ９の駆動力による電気的戸閉力に合わせて、機械的戸閉力がかごドアパネル全閉付近に作用することで、電気的戸閉力＋機械的戸閉力の総和が、上述した戸開力に対する抗力となる。
【００４３】
ドア制御装置１０から、戸開指令が発令されたとき、ドアモータ９は、戸開方向に駆動力を発生させる。ドアモータ９は、ベルト７ならびにベルト掴み８を介して、かご係合ベーン１２Ａに戸開方向の駆動力を伝達する。
【００４４】
かご係合ベーン１２Ａは、ドア開閉方向へ円滑に動作するためのスライドガイド２４に沿って動作し、ドアの戸開方向もしくは戸閉方向に動作方向が規定される。ドアモータ９が戸開方向の駆動力を発生させたとき、乗場ローラ１３にかご係合ベーン１２Ａもしくはかご係合ベーン１２Ａに取り付けられた接触検出部２５が接触するまでは、かご係合ベーン１２Ａのみが駆動し、かごドアパネル１は、動作しない。
【００４５】
図５は、本発明の実施の形態１による戸開係合時のドア係合装置の構成図である。かご係合ベーン１２Ａが乗場ローラ１３に接触したとき（つまり、係合したとき）、かご係合ベーン１２に取り付けられた接触検出部２５が、両者の接触を検出する。ここで、接触検出部２５は、機械的もしくは電気的なスイッチもしくはセンサでよい。図４および図５では、機械的スイッチの例を示している。
【００４６】
接触検出部２５が乗場ローラ１３に接触したとき、接触検出部２５の移動量に応じて、ラッチ部２６が、かご係合ベーン１２Ａとの接合部を中心軸として回転する。そして、この回転により、ラッチ部２６の先端部は、かごドアパネル１Ａに固定されたロック部２７と機械的に噛み合うことで連結し、一体化する。そのため、かご係合ベーン１２Ａに伝達されるドアモータ９の駆動力は、ラッチ部２６とロック部２７を介してかごドアパネル１Ａに加えられる。ここで、ラッチ部２６とロック部２７は、ドア連結機構部に相当する。
【００４７】
そして、かごドアパネル１Ａに駆動力が伝達されることで、かごドアパネル１Ｂにも駆動力が伝達される。このようにして、乗場ドアパネル１４Ａと１４Ｂには、乗場ローラ１３を介して駆動力が伝達されることから、ドア開閉が実現できる。
【００４８】
図４および図５では、ロック部２７もしくはスライドガイド２４の端部には、かご係合ベーンストッパー２３Ａ、２３Ｂが備え付けられるが、必ずしも端部である必要はなく、かごドアパネル１Ａに設置されていればよい。また、かご係合ベーンストッパー２３Ｂは、乗場ローラ１３とかご係合ベーン１２Ａとの接触部よりも、常に戸開側に設置される。
【００４９】
かごが乗場階に着床しておらず、かつ、ドアモータ９に開閉指令を送信した状態では、乗場ローラ１３は、接触検出部２５と接触する位置には存在していない。従って、この状態では、かご係合ベーン１２Ａがかご係合ベーンストッパー２３Ａに接触することで、かご係合ベーン１２Ａとかごドアパネル１Ａとが連結され、かごドアのみを開閉させることができる。
【００５０】
なお、係合ギャップは、全閉時のかご係合ベーン１２Ａと乗場ローラ１３との間であり、下式（１）で表すことができる。
係合ギャップＸ＝ギャップ基準距離（Ｘ０）±調整精度（Ｙ）  （１）
【００５１】
ここで、調整精度（Ｙ）は、一般的にはミリメートル単位での調整が必要となり、この許容精度の大きさにより、据付作業の難易度が高くなる。
【００５２】
係合ギャップは、かご昇降時に、係合装置周りのかごドア機器と乗場ドア機器とが接触しないようにする役割がある。そのため、かご開閉時には、係合ギャップ分の距離を移動した上で、かごドアと乗場ドアが係合装置（かご係合ベーン１２＋乗場ローラ１３）を介して連結し、駆動装置のない乗場ドアに駆動力を伝達することになる。
【００５３】
ドアパネル１やかご係合ベーン１２の質量には、下式（２）の関係が一般的に成立する。
かごドアパネル質量・乗場ドアパネル（＋ローラ含）質量
＞＞かご係合ベーン質量                                （２）
【００５４】
かごドアパネル１と乗場ドアパネル１４は、乗客の視界にあり、振動が生じることを避けたい。ここで、かごドアパネル１と乗場ドアパネル１４が衝突した場合には、運動量保存の法則から、両者は、衝突した側の質量に応じた大きな反力を受ける。このため、少なくとも一方のドアパネルには、振動が生じる結果となる。
【００５５】
一方、ドアパネル質量よりも圧倒的に小さいかご係合ベーン１２が乗場ドアパネル１４に衝突した場合には、乗客の視界にある乗場ドアパネルに作用する反力は、小さい。このため、衝突による乗場ドアパネル１４の振動は、ほとんど生じない。
【００５６】
この場合、かご係合ベーン１２側には大きな反力が作用する。しかしながら、かご係合ベーン１２は、ドアパネルと異なる次の２点の特徴を有している。
（特徴１）かご係合ベーン１２は、かごドアパネル１と乗場ドアパネル１４との間にあり、乗客の視界にない。
（特徴２）さらに、かご係合ベーン１２は、ベルト掴み８と剛に繋がっており、モータ９による速度・位置制御が容易である。
【００５７】
図６は、本発明の実施の形態１によるドア振動の低減効果を説明するための図である。具体的には、左側の図６（ａ）は、従来技術による振動発生状況を示しており、右側の図６（ｂ）は、本発明による振動低減状況を示している。また、図６（ａ）、図６（ｂ）ともに、上段は、かごドアの速度応答を示しており、下段は、乗場ドアの速度応答を示している。
【００５８】
かご係合ベーン１２と乗場ローラ１３の係合直前までに、かご係合ベーン１２がかごドアパネル１と接合されているような従来の機構の場合には、図６（ａ）示すように、係合時の衝突により、少なくとも一方のドアパネルにドア振動が生じる。
【００５９】
一方、かご係合ベーン１２が乗場ローラ１３に衝突する本発明の機構の場合には、図６（ｂ）に示すように、ドアパネル振動を抑制することができる。
【００６０】
また、見栄えの観点からは、かごドアパネル１と乗場ドアパネル１４は、乗客の視界にあることから、開閉するとき、両者が完全に同期して開閉することが望ましい。従来の機構のように、かごドアパネル１が乗場ドアパネル１４に衝突するということは、乗場ドア駆動前にかごドアが事前に駆動することを意味する。従って、従来の機構においては、係合した後には、両者は同期するが、開閉動作全領域において両者が完全に同期しているとは言えない。
【００６１】
一方、かご着床後に、モータ９の駆動力でかご係合ベーン１２Ａのみを駆動し、係合ギャップ２２分だけ移動する図４、図５の構成を備えた本発明の機構においては、開閉動作全領域において、かごドアパネル１と乗場ドアパネル１４の完全な同期動作が実現できる。
【００６２】
完全な同期の効果としては、見栄えの観点に加え、乗客にとっての開閉時間短縮の観点が挙げられる。ドア制御装置１０における開閉時間は、開閉指令を切替え、モータ９を駆動する時間である。一方、乗客にとっての開閉時間は、乗客の視界において、かごドアが動作している時間である。
【００６３】
そのため、前者の場合には、
かごドアパネルの移動距離＝係合ギャップ距離＋乗場ドアパネル移動距離
であるが、後者の場合には、
かごドアパネルの移動距離＝乗場ドアパネル移動距離
である。
【００６４】
一般的に、かご着床後の戸開開始直後の係合ギャップ区間では、かごドアと乗場ドアの衝突音低減および前述の反力低減のために戸開速度を極力遅くする必要がある。このことが、戸開閉時間短縮の観点から、係合ギャップにおけるギャップ基準距離Ｘ０、調整精度Ｙを大きく設定できない要因である。
【００６５】
そして、本発明の図４、図５に示した構成では、かご係合ベーン１２Ａがドアパネル１、１４に対して極めて質量が小さいことから、従来では、係合ギャップ区間で遅く設定する制約のあった戸開速度を、より速く設定することも可能である。
【００６６】
ただし、衝突音が発生することを回避するためには、かご係合ベーン１２Ａの構成を最小限の質量とすることが望ましい。そして、本発明の構成を採用することで、係合ギャップにおけるギャップ基準距離Ｘ０、調整精度Ｙを、従来よりも大きく設定することが可能となる。この結果、調整精度の緩和が可能となる。
【００６７】
なお、本実施の形態１の構成によれば、接触検出部２５が電気的スイッチもしくはセンサのとき、ドア制御装置１０に検出信号を送信することができる。そして、この場合、ドア制御装置１０は、モータが戸開開始後から係合するタイミングまでの時間を算出することができる。
【００６８】
この結果、各階毎に異なる係合ギャップ２２の距離を、モータ９の回転量からドア制御装置１０において認識することが可能となる。そのため、通常は、保守員が目視による検査で測定する係合ギャップ２２の確認を、ドア制御装置１０を用いて、定量的に実施することができ、保守負荷の低減の効果がある。
【００６９】
実施の形態２．
図７は、本発明の実施の形態２による戸開開始前のドア係合装置の構成図である。乗場ローラ１３は、乗場ドアの施錠および解錠を役割とするインターロック機能をもつ場合がある。このとき、乗場ローラ１３は、図７に示すように、上部乗場ローラ１３Ａと下部乗場ローラ１３Ｂに分けられる。
【００７０】
上部乗場ローラ１３Ａには、ローラバネ２８により、下部乗場ローラ１３Ｂよりも、戸閉側の位置に設定される。かご係合ベーン１２Ａは、戸開方向に駆動する際には、まず、上部乗場ローラ１３Ａに接触する。そして、接触後の上部乗場ローラ１３Ａは、下部乗場ローラ１３Ｂと開閉方向に関して同等の位置になるまで移動することができる。この移動量によって、図示しない乗場ドアインターロックの施錠および解錠を行う。
【００７１】
上述したドア本実施の形態２における係合装置を用いたかごドア駆動装置の全体概要図は、先の実施の形態１で示した図１と同じである。出入口を開閉するかご側のドアパネル１の上端には、吊り手２が設けられている。出入口の上縁部には、長手が水平方向に配置された桁３が設けられている。
【００７２】
桁３には、かごドア案内レール４が長手の水平方向に配置されるように設けられている。そして、吊り手２に設けられたハンガーローラ５が、レール４に沿って移動することで、吊り手２の水平移動、すなわち、ドアパネル１の開閉移動、を案内する。
【００７３】
また、吊り手２に設けられたアップスラストローラ１１が、レール４の下方に取り付けられ、ハンガーローラ５がレール４から脱落することを防止している。桁３には、プーリ６Ａ、６Ｂが互いに離れて設けられており、無端状をなすベルト７が、プーリ６Ａ、６Ｂの双方に巻き掛けられることで、所定のテンションで張られた状態となっている。
【００７４】
ベルト掴み８は、一端がベルト７に連結され、他端がかご係合ベーン１２に連結されている。また、モータ９は、プーリ６Ａを駆動する。ベルト７は、伝導ベルトであり、一般的には、歯付ベルトもしくはＶベルトが用いられる。ベルト形状に応じた溝が加工されているプーリ６Ａ、６Ｂのプーリ間距離を変更することで、無端状のベルト７の取付張力を所望の値に調整することができる。
【００７５】
モータ９を駆動させることで、対応したプーリ６Ａが回転し、ベルト７が駆動され、ベルト掴み８を介して連結されたかご係合ベーン１２も駆動する。そして、かご係合ベーン１２がドアパネル１Ａと連結され、もう一方のドアパネル１Ｂには、連動ロープもしくはベルトを介して駆動力が伝達される。この結果、ドアパネル１Ａ、１Ｂを同一方向に動作させることで、モータ９の駆動により、ドアが開閉する。
【００７６】
図１に示した構成は、片開きのドア機構であるが、両開きドアでは、かご係合ベーン１２からの駆動力が伝達されるドアパネル１Ａと、もう一方のドアパネル１Ｂを、連動ロープもしくはベルトを介して互いに反対方向に動作させることで、出入口を開閉すればよい。
【００７７】
一般的には、片開きドアにおいては、ドアパネル１Ｂの速度の大きさは、ドアパネル１Ａの半分であり、両開きドアにおいては、方向は異なるものの、速度の大きさは、ドアパネル１Ａと１Ｂで等しいものとなる。
【００７８】
また、エレベータかごが着床し、かごドアと乗場ドアの床高さがおおよそ一致しているとき、モータ９を駆動すれば、かご係合ベーン１２と乗場ローラ１３が接触し係合することで、かごドアの駆動力を乗場ドアに伝達することができる。
【００７９】
上述した本実施の形態２におけるドア係合装置を用いた乗場ドア駆動装置の全体概要図は、先の実施の形態１で示した図２と同じである。図２に示される出入口を開閉する乗場側のドアパネル１４の上端には、吊り手１５が設けられている。出入口の上縁部には、長手が水平方向に配置された桁１６が設けられている。
【００８０】
桁１６には、乗場ドア案内レール１７が、長手の水平方向に配置されるように設けられている。また、吊り手１５に設けられたハンガーローラ１８が、レール１７に沿って移動することで、吊り手１５の水平移動、すなわち、ドアパネル１４の開閉移動、を案内する。
【００８１】
また、吊り手１５に設けられたアップスラストローラ１９が、レール１７の下方に取り付けられ、ハンガーローラ１８がレール１７から脱落することを防止している。桁１６には、プーリ２０Ａ、２０Ｂが互いに離れて設けられており、連動ロープ２１が、プーリ２０Ａ、２０Ｂの双方に巻き掛けられることで、所望のテンションで張られた状態となっている。
【００８２】
ドアパネル１４Ａの吊り手は、連動ロープ２１と連結されている。なお、連動ロープ２１は、ベルトであってもよい。もう一方のドアパネル１４Ｂと、ドアパネル１４Ａは、連動ロープ２１とは異なる別の連動ロープ、もしくはベルトを介して、駆動力が伝達され、この結果、ドアパネル１４Ａと１４Ｂは、同一方向に動作することとなる。
【００８３】
図２に示した構成は、片開きのドア機構であるが、両開きドアでは、ドアパネル１４Ａと、もう一方のドアパネル１４Ｂを、連動ロープ２１を介して互いに反対方向に動作させることで、出入口を開閉すればよい。
【００８４】
このように、乗場ローラ１３に作用したモータ９の駆動力が、ドアパネル１４Ａと１４Ｂに伝達されることで、モータ９の駆動により、乗場ドアが開閉させることができる。
【００８５】
なお、乗場ドアには、図示しない錘やバネによる戸閉力発生機構が取り付けられており、かごが着床していない状態では、乗場ドアが開かれた場合でも自動で全閉するように、機械的外力が作用するように構成されている。
【００８６】
図１および図２に示したドアを用いた戸開動作において、本実施の形態２における図７の接触検出部２５によって検出したい接触は、下部乗場ローラ１３Ｂとの接触である。下部乗場ローラ１３Ｂにのみ接触検出部２５が接触すればよいが、この裕度はかごの着床精度に依存する。そこで、以降では、上部乗場ローラ１３Ａおよび下部乗場ローラ１３Ｂが、ともに接触検出部２５と接触することを前提として、接触検出部２５の構成を説明する。
【００８７】
図７に示したように、かご着床後のドア戸開開始前の全閉状態において、ドアモータ９は、かご内乗客のこじ開けや昇降時のかご振動による戸開力に対抗するために、戸閉力方向に駆動力を発生させる。駆動力は、ベルト掴み８を介してかご係合ベーン１２Ａに伝達される。
【００８８】
かご係合ベーン１２Ａは、かごドアパネル１Ａに設置されたかご係合ベーンストッパー２３Ａに接触することで、かごドアパネル１に戸閉方向の駆動力を発生させる。かご係合ベーンストッパー２３Ａは、ゴムのような弾性体でもよいし、ボルト等の剛体でもよい。
【００８９】
一般的に、モータ９の駆動力による電気的戸閉力に合わせて、機械的戸閉力がかごドアパネル全閉付近に作用することで、電気的戸閉力＋機械的戸閉力の総和が、上述した戸開力に対する抗力となる。
【００９０】
ドア制御装置１０から、戸開指令が発令されたとき、ドアモータ９は、戸開方向に駆動力を発生させる。ドアモータ９は、ベルト７ならびにベルト掴み８を介して、かご係合ベーン１２Ａに戸開方向の駆動力を伝達する。
【００９１】
かご係合ベーン１２Ａは、ドア開閉方向へ円滑に動作するためのスライドガイド２４に沿って動作し、ドアの戸開方向もしくは戸閉方向に動作方向が規定される。ドアモータ９が戸開方向の駆動力を発生させたとき、乗場ローラ１３にかご係合ベーン１２Ａもしくはかご係合ベーンに取り付けられた接触検出部２５が接触するまでは、かご係合ベーン１２Ａのみが駆動し、かごドアパネル１は、動作しない。
【００９２】
本実施の形態２における接触検出部２５には、ローラバネ２８のバネ剛性よりも硬いバネ剛性をもつ接触検出用バネ２９が備え付けられる。接触検出用バネ２９の剛性を前述のように設定することで、接触検出部２５が上部乗場ローラ１３Ａのみの移動では接触を検出しないようにすることができる。
【００９３】
図８は、本発明の実施の形態２による戸開係合時のドア係合装置の構成図である。かご係合ベーン１２Ａが下部乗場ローラ１３Ｂに接触したとき（つまり、係合したとき）、かご係合ベーン１２に取り付けられた接触検出部２５が、両者の接触を検出する。ここで、接触検出部２５は、機械的もしくは電気的なスイッチもしくはセンサでよい。図７および図８では、機械的スイッチの例を示している。
【００９４】
接触検出部２５が上部乗場ローラ１３Ａおよび下部乗場ローラ１３Ｂの両方に接触したとき、接触検出部２５の移動量に応じて、ラッチ部２６が、かご係合ベーン１２Ａとの接合部を中心軸として回転する。そして、この回転により、ラッチ部２６の先端部は、かごドアパネル１Ａに固定されたロック部２７と機械的に噛み合うことで連結し、一体化する。そのため、かご係合ベーン１２Ａに伝達されるドアモータ９の駆動力は、ラッチ部２６とロック部２７を介してかごドアパネル１Ａに加えられる。
【００９５】
そして、かごドアパネル１Ａに駆動力が伝達されることで、かごドアパネル１Ｂにも駆動力が伝達される。このようにして、乗場ドアパネル１４Ａと１４Ｂには、上部乗場ローラ１３Ａおよび下部乗場ローラ１３Ｂを介して駆動力が伝達されることから、ドア開閉が実現できる。
【００９６】
図７および図８では、ロック部２７もしくはスライドガイド２４の端部には、かご係合ベーンストッパー２３Ａ、２３Ｂが備え付けられるが、必ずしも端部である必要はなく、かごドアパネル１Ａに設置されていればよい。また、かご係合ベーンストッパー２３Ｂは、上部乗場ローラ１３Ａ、下部乗場ローラ１３Ｂ、およびかご係合ベーン１２Ａの接触部よりも、常に戸開側に設置される。
【００９７】
かごが乗場階に着床しておらず、かつ、ドアモータ９に開閉指令を送信した状態では、上部乗場ローラ１３Ａ、下部乗場ローラ１３Ｂは、接触検出部２５と接触する位置には存在していない。従って、この状態では、かご係合ベーン１２Ａがかご係合ベーンストッパー２３Ａに接触することで、かご係合ベーン１２Ａとかごドアパネル１Ａとが連結され、かごドアのみを開閉させることができる。
【００９８】
実施の形態３．
本実施の形態３では、先の実施の形態１と同様の効果をもち、先の実施の形態１とは異なるドア連結機構部の構成を備えたエレベータのドア装置について説明する。
【００９９】
図９は、本発明の実施の形態３による戸開開始前のドア係合装置の構成図である。図９においては、全閉側のかご係合ベーン１２Ａと、全開側のかご係合ベーン１２Ｂが示されている。
【０１００】
かご係合ベーン１２Ａは、かごドアパネル１Ａに設置されたかご係合ベーンストッパー２３Ａに接触することで、かごドアパネル１に戸閉方向の駆動力を発生させる。かご係合ベーンストッパー２３Ａは、ゴムのような弾性体でもよいし、ボルト等の剛体でもよい。
【０１０１】
ドア制御装置１０から、戸開指令が発令されたとき、ドアモータ９は、戸開方向に駆動力を発生させる。ドアモータ９は、ベルト７ならびにベルト掴み８を介して、かご係合ベーン１２Ａに戸開方向の駆動力を伝達する。
【０１０２】
かご係合ベーン１２Ａは、ドア開閉方向へ円滑に動作するためのスライドガイド２４に沿って動作し、ドアの戸開方向もしくは戸閉方向に動作方向が規定される。ドアモータ９が戸開方向の駆動力を発生させたとき、乗場ローラ１３にかご係合ベーン１２Ａもしくはかご係合ベーン１２Ａに取り付けられた接触検出部２５が接触するまでは、かご係合ベーン１２Ａのみが駆動し、かごドアパネル１は、動作しない。
【０１０３】
図１０は、本発明の実施の形態３による戸開係合時のドア係合装置の構成図である。かご係合ベーン１２Ａが乗場ローラ１３に接触したとき（つまり、係合したとき）、かご係合ベーン１２Ａに取り付けられた接触検出部２５が、両者の接触を検出する。ここで、接触検出部２５は、機械的もしくは電気的なスイッチもしくはセンサでよい。図９および図１０では、機械的スイッチの例を示している。
【０１０４】
接触検出部２５が乗場ローラ１３に接触したとき、接触検出部２５の移動量に応じて、カム部３０が、かご係合ベーン１２Ａとの接合部を軸として水平方向に移動する。そして、この移動により、傾斜をもつカム部３０と、カム部３０の傾斜に接して鉛直方向に移動するラッチ部３１の先端部は、かごドアパネル１Ａに固定されたロック部２７と機械的に噛み合うことで連結し、一体化する。
【０１０５】
そのため、かご係合ベーン１２Ａに伝達されるドアモータ９の駆動力は、カム部３０とラッチ部３１とロック部２７を介してかごドアパネル１Ａに加えられる。ここで、ラッチ部３１とロック部２７は、ドア連結機構部に相当する。ラッチ部３１は、かご係合ベーン１２Ａに取り付けられたスライド部３２に沿って垂直方向に移動する。
【０１０６】
そして、かごドアパネル１Ａに駆動力が伝達されることで、かごドアパネル１Ｂにも駆動力が伝達される。このようにして、乗場ドアパネル１４Ａと１４Ｂには、乗場ローラ１３を介して駆動力が伝達されることから、ドア開閉が実現できる。
【０１０７】
図９および図１０では、ロック部２７もしくはスライドガイド２４の端部には、かご係合ベーンストッパー２３Ａ、２３Ｂが備え付けられるが、必ずしも端部である必要はなく、かごドアパネル１Ａに設置されていればよい。また、かご係合ベーンストッパー２３Ｂは、乗場ローラ１３とかご係合ベーン１２Ａとの接触部よりも、常に戸開側に設置される。
【０１０８】
かごが乗場階に着床しておらず、かつ、ドアモータ９に開閉指令を送信した状態では、乗場ローラ１３は、接触検出部２５と接触する位置には存在していない。従って、この状態では、かご係合ベーン１２Ａがかご係合ベーンストッパー２３Ａに接触することで、かご係合ベーン１２Ａとかごドアパネル１Ａとが連結され、かごドアのみを開閉させることができる。
【符号の説明】
【０１０９】
１、１Ａ、１Ｂ  かごドアパネル、２  かごドア吊り手、３  かごドア桁、４  かごドア案内レール、５  かごドアハンガーローラ、６Ａ、６Ｂ  かごドアプーリ、７  ベルト、８  ベルト掴み、９  モータ、１０  ドア制御装置、１１  かごドアアップスラストローラ、１２、１２Ａ、１２Ｂ  係合ベーン、１３  乗場ローラ、１３Ａ  上部乗場ローラ、１３Ｂ  下部乗場ローラ、１４、１４Ａ、１４Ｂ  乗場ドアパネル、１５  乗場ドア吊り手、１６  乗場ドア桁、１７  乗場ドア案内レール、１８  乗場ドアハンガーローラ、１９  乗場ドアアップスラストローラ、２０Ａ、２０Ｂ  乗場ドアプーリ、２１  連動ロープ、２２  係合ギャップ、２３Ａ、２３Ｂ  かご係合ベーンストッパー、２４  スライドガイド、２５  接触検出部、２６  ラッチ部（ドア連結機構部）、２７  ロック部（ドア連結機構部）、２８  ローラバネ、２９  接触検出用バネ、３０  カム部、３１  ラッチ部（ドア連結機構部）、３２  スライド部。
【図１】
0006556028.tif 000002
【図２】
0006556028.tif 000003
【図３】
0006556028.tif 000004
【図４】
0006556028.tif 000005
【図５】
0006556028.tif 000006
【図６】
0006556028.tif 000007
【図７】
0006556028.tif 000008
【図８】
0006556028.tif 000009
【図９】
0006556028.tif 000010
【図１０】
0006556028.tif 000011